(57)【要約】      （修正有）【課題】各電極や引き回し配線を同一面上に配置することが容易であり、セグメント表示型に適したＩＰＳ型液晶表示装置を提供する。【解決手段】定型の文字又は図柄を表示するための表示部を備える液晶表示装置であって、液晶層１７、液晶層を挟んで対向配置された第１基板１１及び第２基板１２、第１基板の一面側に設けられた複数の第１電極１３、第１基板の一面側に設けられた複数の第２電極１４、第１基板の一面側に設けられ各々が複数の第１電極のいずれかと接続された複数の第１引き回し配線２３、第１基板の一面側に設けられ各々が複数の第２電極のいずれかと接続された複数の第２引き回し配線２４、第２基板の一面側に設けられ複数の第２引き回し配線のうちの２つ以上の第２引き回し配線の各一部分と重畳するジャンパ配線２８、第１基板と第２基板の間において２つ以上の第２引き回し配線の各一部分とジャンパ配線との間に介在する導電材２９を備える。【選択図】図１
2014029382.tif 000002
【特許請求の範囲】
【請求項１】
定型の文字又は図柄を表示するための表示部を備える液晶表示装置であって、
液晶層と、
前記液晶層を挟んで対向配置された第１基板及び第２基板と、
前記第１基板の一面側に設けられた複数の第１電極と、
前記第１基板の一面側に設けられた複数の第２電極と、
前記第１基板の一面側に設けられ、各々が前記複数の第１電極のいずれかと接続された複数の第１引き回し配線と、
前記第１基板の一面側に設けられ、各々が前記複数の第２電極のいずれかと接続された複数の第２引き回し配線と、
前記第２基板の一面側に設けられ、前記複数の第２引き回し配線のうちの２つ以上の第２引き回し配線の各一部分と重畳するジャンパ配線と、
前記第１基板と前記第２基板の間において前記２つ以上の第２引き回し配線の各一部分と前記ジャンパ配線との間に介在する導電材と、
を含む、液晶表示装置。
【請求項２】
前記第１基板と前記第２基板とが重なる領域は、表示領域と周辺領域を含み、
前記２つの第２引き回し配線の各一部分と前記ジャンパ配線は、前記周辺領域に配置される、
請求項１に記載の液晶表示装置。
【請求項３】
前記周辺領域において前記第１基板と前記第２基板の間に介在して前記液晶層を囲むシール材、を更に含み、
前記２つ以上の第２引き回し配線の各一部分と前記ジャンパ配線は、前記周辺領域において前記シール材と重畳して配置され、
前記シール材は、少なくとも、前記２つ以上の第２引き回し配線の各一部分及び前記ジャンパ配線と接する部位において導電性を有しており、前記導電材を兼ねる、
請求項２に記載の液晶表示装置。
【請求項４】
前記周辺領域で前記第１基板と第２基板の間に介在して前記液晶層を囲むシール材、
を更に含み、
前記２つ以上の第２引き回し配線の各一部分と前記ジャンパ配線は、前記周辺領域における前記シール材よりも外側に配置される、
請求項２に記載の液晶表示装置。
【請求項５】
前記複数の第１電極と前記複数の第２電極は、それぞれが複数の電極枝を有し、
前記複数の第１電極の各々は、前記複数の第２電極のいずれかと対をなし、
当該対をなす第１電極と第２電極は互いの複数の電極枝が交互に並ぶように配置されている、
請求項１〜４のいずれか１項に記載の液晶表示装置。
【発明の詳細な説明】
【技術分野】
【０００１】
本発明は、基板面に水平方向の電界を用いて液晶層を駆動する液晶表示装置に関する。
【背景技術】
【０００２】
一般的な液晶表示装置は、液晶層を挟んで対向配置された一対の基板のそれぞれに電極が設けられており、それらの電極を用いて基板面に垂直な方向に電界を発生させて液晶層の配向状態を変化させることにより明暗表示を実現する。このような液晶表示装置では、電界印加時に液晶層の液晶分子が基板面に対して傾斜して配向するため、傾斜方向が一方向に偏ることになり、明暗表示に視角依存性を生じる。
【０００３】
このような不都合を解消し、良好な視角特性を実現し得る液晶表示装置は、例えば特開昭５６−９１２７７号公報（特許文献１）や特開平７−７２４９１号公報（特許文献２）に開示されている。これら特許文献１，２に開示される液晶表示装置は、液晶層を挟んで対向配置される一対の基板のうち、片側基板の一面上にそれぞれ表示電極と共通電極を設け、両電極間を用いて基板面にほぼ水平な方向に電界を発生させて液晶層の配向状態を変化させることにより明暗表示を実現する。このような液晶表示装置は、電界印加時に液晶層の液晶分子が基板面に水平な状態のままで配向変化するため明暗表示に視角依存性を生じにくく、このため良好な視角特性を実現することができる。このような液晶表示装置はインプレーンスイッチング（ＩＰＳ：In-Plane Switching）型液晶表示装置と呼ばれる。特許文献１に開示の液晶表示装置は、表示電極と共通電極の各交差部に薄膜トランジスタ等の能動素子を設けて各画素をスイッチングするアクティブマトリクス駆動型である。他方、特許文献２に開示の液晶表示装置は、上記のような能動素子を用いない単純マトリクス駆動型である。
【０００４】
ところで、先行例のＩＰＳ型液晶表示装置は、いずれも複数の画素をマトリクス状に配置して画像表示を行うことを想定したものであるが、任意の表示部形状を有するセグメント表示型液晶表示装置に適した構造を提案するものではない。具体的には、先行例のＩＰＳ型液晶表示装置は、表示電極と対向電極、又はそれに接続される引き回し配線において必ず平面視において交差部分が存在しており、この交差部分は絶縁膜を介在させることにより絶縁が確保されている。このような絶縁膜を設けることは液晶表示装置の製造時における工程数を増加させる要因となる。ここで、特許文献１に開示の液晶表示装置では、能動素子を構成するためにパッシベーション膜を設けており、これを成膜するときに併せて上記した交差部分の絶縁膜を形成することができるため、製造時の工程数を増加させる要因とはなりにくい。しかしながら、一般にセグメント表示型液晶表示装置においては能動素子を設けないため、上記したような交差部分に絶縁膜を設けることにした場合には製造時の工程数が増加する懸念がある。他方で、交差部分を設けないようにするためには表示電極と対向電極の各々の対応した引き回し配線をすべて同一面上に配置する必要があるが、表示部の数が増えるほどに引き回し配線も増えることから、交差部分を設けずに各電極や引き回し配線を同一面上に配置することは困難となる。
【先行技術文献】
【特許文献】
【０００５】
【特許文献１】特開昭５６−９１２７７号公報
【特許文献２】特開平７−７２４９１号公報
【発明の概要】
【発明が解決しようとする課題】
【０００６】
本発明に係る具体的態様は、各電極や引き回し配線を同一面上に配置することが容易であり、セグメント表示型に適したＩＰＳ型液晶表示装置を提供することを目的の１つとする。
【課題を解決するための手段】
【０００７】
本発明に係る一態様の液晶表示装置は、定型の文字又は図柄を表示するための表示部を備える液晶表示装置であって、（ａ）液晶層と、（ｂ）液晶層を挟んで対向配置された第１基板及び第２基板と、（ｃ）第１基板の一面側に設けられた複数の第１電極と、（ｄ）第１基板の一面側に設けられた複数の第２電極と、（ｅ）第１基板の一面側に設けられ、各々が複数の第１電極のいずれかと接続された複数の第１引き回し配線と、（ｆ）第１基板の一面側に設けられ、各々が複数の第２電極のいずれかと接続された複数の第２引き回し配線と、（ｇ）第２基板の一面側に設けられ、複数の第２引き回し配線のうちの２つ以上の第２引き回し配線の各一部分と重畳するジャンパ配線と、（ｈ）第１基板と第２基板の間において上記２つ以上の第２引き回し配線の各一部分とジャンパ配線との間に介在する導電材と、を含むことを特徴とする液晶表示装置である。
【０００８】
上記の構成によれば、第１基板側に設けた第２引き回し配線のうちのいくつかの相互間を第２基板側に設けたジャンパ配線を介して相互に接続する構成としたことにより、基板上での配線レイアウトの自由度を高めることができる。それにより、交差部分を設けずに各電極や引き回し配線を同一面上に配置することが容易となり、セグメント表示型に適したマルチプレックス駆動のＩＰＳ型液晶表示装置が得られる。
【０００９】
上記の液晶表示装置において、第１基板と第２基板とが重なる領域が表示領域と周辺領域を含む場合に、上記２つの第２引き回し配線の各一部分とジャンパ配線は、周辺領域に配置されることが好ましい。
【００１０】
これにより、表示に寄与しない部分であるジャンパ配線等を表示領域外へ配置して表示領域をより広く確保することができる。
【００１１】
上記の液晶表示装置は、周辺領域において第１基板と第２基板の間に介在して液晶層を囲むシール材を更に含み、この場合に上記２つ以上の第２引き回し配線の各一部分とジャンパ配線は、周辺領域においてシール材と重畳して配置され、シール材は、少なくとも、上記２つ以上の第２引き回し配線の各一部分及びジャンパ配線と接する部位において導電性を有しており、導電材を兼ねることも好ましい。
【００１２】
これにより、導電材としての機能をシール材で兼用することが可能となり、構成の簡素化を実現することが可能となる。
【００１３】
上記の液晶表示装置は、周辺領域で第１基板と第２基板の間に介在して液晶層を囲むシール材を更に含み、この場合に、上記２つ以上の第２引き回し配線の各一部分とジャンパ配線は、周辺領域におけるシール材よりも外側に配置されることも好ましい。
【００１４】
通常、シール材よりも内側は表示領域となるため、ジャンパ配線等を表示領域外へ配置して表示領域をより広く確保することができる。
【００１５】
上記の液晶表示装置において、複数の第１電極と複数の第２電極は、それぞれが複数の電極枝を有し、複数の第１電極の各々は、複数の第２電極のいずれかと対をなし、当該対をなす第１電極と第２電極は互いの複数の電極枝が交互に並ぶように配置されていることも好ましい。
【図面の簡単な説明】
【００１６】
【図１】図１（Ａ）および図１（Ｂ）は、第１実施形態の液晶表示装置の構成を示す断面図である。
【図２】図２は、第１実施形態の液晶表示装置の結線状態を説明するための図である。
【図３】図３は、第１実施形態の液晶表示装置における第１電極（セグメント電極）および引き回し配線の構成例を示す平面図である。
【図４】図４は、第１実施形態の液晶表示装置における第２電極（コモン電極）および引き回し配線の一部の構成例を示す平面図である。
【図５】図５は、第１実施形態の液晶表示装置における第２電極（コモン電極）および引き回し配線の一部の構成例を示す平面図である。
【図６】図６は、第１実施形態の液晶表示装置におけるジャンパ配線の構成例を示す平面図である。
【図７】図７は、第１実施形態の液晶表示装置における第１電極と第２電極を一緒に示した平面図である。
【図８】図８は、第１電極と第２電極の詳細な構成例を示す平面図である。
【図９】図９は、第２実施形態の液晶表示装置の結線状態を説明するための図である。
【図１０】図１０は、第２実施形態の液晶表示装置における第１電極（セグメント電極）および引き回し配線の構成例を示す平面図である。
【図１１】図１１は、それぞれ、第２実施形態の液晶表示装置における第２電極（コモン電極）および引き回し配線の一部の構成例を示す平面図である。
【図１２】図１２は、それぞれ、第２実施形態の液晶表示装置における第２電極（コモン電極）および引き回し配線の一部の構成例を示す平面図である。
【図１３】図１３は、それぞれ、第２実施形態の液晶表示装置における第２電極（コモン電極）および引き回し配線の一部の構成例を示す平面図である。
【図１４】図１４は、第２実施形態の液晶表示装置におけるジャンパ配線の構成例を示す平面図である。
【図１５】図１５は、第２実施形態の液晶表示装置における第１電極と第２電極を一緒に示した平面図である。
【図１６】図１６は、第１電極と第２電極の他の構成例を示す平面図である。
【発明を実施するための形態】
【００１７】
以下に、本発明の実施の形態について図面を参照しながら説明する。
【００１８】
（第１実施形態）
図１（Ａ）および図１（Ｂ）は、第１実施形態の液晶表示装置の構成を示す断面図である。この液晶表示装置は、対向配置された第１基板１１および第２基板１２と、第１基板１１と第２基板１２の間に配置された液晶層１７を基本構成として備える。例えば、本実施形態の液晶表示装置は、電極同士の重なり合う領域が表示したい文字や図案を直接的に形作るように構成され、基本的に予め定められた文字等、すなわち定型の文字等のみを表示可能であり、概ね、有効表示領域内における面積比で５０％以下程度の領域が文字等の表示に寄与するものであるセグメント表示型の液晶表示装置である。なお、液晶表示装置は、複数の画素がマトリクス状に配列されたドットマトリクス表示型とセグメント表示型が混在したものであってもよい。
【００１９】
第１基板１１および第２基板１２は、それぞれ例えばガラス基板、プラスチック基板等の透明基板である。図示のように、第１基板１１と第２基板１２は、所定の間隙（例えば３μｍ程度）を設けて貼り合わされている。第１基板１１と第２基板１２の間隙は、図示しない枠状のシール材に含有するロット状又は球状のスペーサーと、基板面内に均一に分散配置される球状スペーサーにより保持される。
【００２０】
第１電極１３、第２電極１４、引き回し配線（第１引き回し配線）２３、引き回し配線（第２引き回し配線）２４は、それぞれ第１基板１１の一面側に設けられている。第１電極１３は引き回し配線２３と接続されており、第２電極１４は引き回し配線２４と接続されている。これらの第１電極１３、第２電極１４および引き回し配線２３、２４は、それぞれ例えばインジウム錫酸化物（ＩＴＯ）などの透明導電膜を適宜パターニングすることによって構成されている。第１電極１３と第２電極１４は、ともに、複数の電極枝を連ねた櫛歯状電極であり、互いの電極枝が交互に噛み合うように配置されている。
【００２１】
ジャンパ配線２８は、第２基板１２の一面側に設けられている（図１（Ｂ）参照）。このジャンパ配線２８は、第１基板１１側に設けられた複数の引き回し配線２４のうちの２つ以上の各一部分と導電材２９を介して電気的および物理的に接続される。これにより、第１基板１１側の２つ以上の引き回し配線２４が導電材２９およびジャンパ配線２８を通じて相互に電気的に接続される。ここでいう導電材２９とは、例えば銀ペーストまたは導電性粒子である。また、液晶層１７を封止するためのシール材（図示省略）に対して、部分的または全体に導電性粒子を含有させることによりシール材に導電材２９としての機能を兼ねさせることもできる。
【００２２】
第１配向膜１５は、第１基板１１の一面側に第１電極１３、第２電極１４、各引き回し線２３、２４を覆うようにして設けられている。第２配向膜１６は、第２基板１２の一面側に設けられている。これらの第１配向膜１５、第２配向膜１６としては、液晶層１７の配向状態を水平配向に規制する水平配向膜が用いられている。各配向膜にはラビング処理等の一軸配向処理が施されている。
【００２３】
液晶層１７は、第１基板１１と第２基板１２の間に設けられている。本実施形態においては、誘電率異方性Δεが負の液晶材料を用いて液晶層１７が構成される。本実施形態の液晶層１７は、電圧無印加時における液晶分子の配向方向が第１基板１１および第２基板１２の各基板面に対してほぼ水平となる水平配向に設定されている。
【００２４】
第１偏光板２１は、第１基板１１の外側に配置されている。同様に、第２偏光板２２は、第２基板１２の外側に配置されている。第１偏光板２１は、例えばその吸収軸が液晶層１７の液晶分子の配向方向に対して略平行に配置される。また、第２偏光板２２は、例えばその吸収軸が第１偏光板２１の吸収軸に対して略直交に配置される。なお、各偏光板と各基板との間には適宜Ｃプレート等の光学補償板が配置されてもよい。
【００２５】
図１に示すように、液晶表示装置の有効表示領域内は、第１電極１３および第２電極１４が配置された表示部（表示領域）３１と、引き回し配線２３または引き回し配線２４のみが配置された引き回し線部（引き回し線領域）３２と、電極と引き回し線のいずれも配置されていない非表示部（非表示領域）３３を含む。表示部３１においては第１電極１３と第２電極１４の各電極枝が一定間隔で交互に配置される。各引き回し配線２３、２４を介して第１電極１３と第２電極１４の間に電圧を印加することにより、第１基板１１の一面とほぼ平行な電界を液晶層１７へ与えることができる。それにより、表示部３１の液晶層１７の液晶分子の配向状態が変化し、明暗状態を制御することができる。
【００２６】
図２は、第１実施形態の液晶表示装置の結線状態を説明するための図である。ここでは、二桁の数字を表示可能なセグメント表示型の液晶表示装置における結線状態を示している。各桁の数字はそれぞれ７つの表示部（セグメント表示部）を用いて表現されており、合計で１４の表示部が存在する。本実施形態ではこのようなセグメント表示型の各表示部を１／２デューティでマルチプレックス駆動する場合を考える。実線で示された８つの配線Ｓ１〜Ｓ８が各第１電極（セグメント電極）の結線状態を表し、点線で示された２つの配線Ｃ１、Ｃ２が各第２電極（走査電極）の結線状態を示している。
【００２７】
図３は、第１実施形態の液晶表示装置における第１電極（セグメント電極）および引き回し配線の構成例を示す平面図である。図３に示すように、各第１電極１３は、二桁の数字を表示するための合計１４の表示部にそれぞれ対応して設けられている。なお、図示を省略しているがこれら文字の部分は櫛歯状電極で構成されている。代表していくつかの第１電極１３にのみ符号を付す。各第１電極１３には、引き回し配線２３が接続されている。代表していくつかの引き回し配線２３にのみ符号を付す。外部取り出し電極端子２５は、図示しない外部駆動回路に接続するためのものであり、それぞれ引き回し配線２３と接続されている。
【００２８】
図４および図５は、それぞれ、第１実施形態の液晶表示装置における第２電極（コモン電極）および引き回し配線の一部の構成例を示す平面図である。また、図６（Ａ）および図６（Ｂ）は、第１実施形態の液晶表示装置におけるジャンパ配線の構成例を示す平面図である。各第２電極１４は、二桁の数字を表示するための合計１４の表示部にそれぞれ対応して設けられている。図４と図５では、各第２電極１４のうちの一部、具体的には上記した２つの配線Ｃ１，Ｃ２のうちのいずれか１つに対応した部分が示されている。なお、図示を省略しているがこれら文字の部分は櫛歯状電極で構成されている。代表していくつかの第２電極１４にのみ符号を付す。各第２電極１４には、引き回し配線２４が接続されている。代表していくつかの引き回し配線２４にのみ符号を付す。
【００２９】
図４に示す各引き回し線２４には、それぞれ直接的には外部取り出し電極端子２６と接続されておらず第１基板１１の一面上において島状に分離しており、それぞれが導通パッド部２７を有しているものも含まれている。また、引き回し配線２４には外部取り出し電極端子２６と接続するとともに導通パッド部２７を有しているものもある。これらの導通パッド部２７の間は、導電材２９を介して第２基板１２のジャンパ配線２８（図６参照）のパッド部２８ａと電気的および物理的に接続されている。導通パッド部２７は導電材２９としてのシール材と重なる位置に設けられる。導電材２９とシール材が別部材ならば、導電材２９はシール材３０よりも外側でシール材３０から離れた位置に配置されることが好ましい。これにより、各引き回し線２４が相互に接続される。また、これにより、島状に分離している引き回し配線２４もジャンパ配線２８を介して外部取り出し電極端子２６と電気的に接続されることになる。他方、図５に示す各引き回し線２４は、導通パッド部を有しておらず、外部取り出し電極端子２６と直接的に接続されている。外部取り出し電極端子２６は、図示しない外部駆動回路に接続するためのものであり、引き回し配線２４と接続されている。
【００３０】
シール材が導電材２９を兼ねる場合には、図６（Ａ）に示すようにジャンパ配線２８は、少なくとも各パッド部２８ａを相互に接続するための配線部２８ｂが導電材２９としてのシール材よりも外側でシール材から離れた領域（周辺領域）に配置されることが好ましい。また、各パッド部２８ａは、導電材２９としてのシール材と重なる位置に配置される。また、導電材２９とシール材とが別部材として構成される場合には、図６（Ｂ）に示すように各パッド部２８および導電材２９は、シール材３０よりも外側でシール材３０から離れた位置に配置されることが好ましい。これにより、表示部３１をより広く確保できる。なお、ここで説明した事項は後述する第２実施形態の液晶表示装置においても同様である。
【００３１】
図７は、第１実施形態の液晶表示装置における第１電極と第２電極を一緒に示した平面図である。なお、図７では第１電極１３および引き回し線２３と第２電極１４および引き回し線２４を識別する都合上、第２電極１４および引き回し線２４を点線により示している。図示のように、第１電極１３と第２電極１４はともに第１基板１１の同一面上に設けられる。また、引き回し線２３、２４も第１基板１１の同一面上に設けられる。これに対して、ジャンパ配線２８は第２基板１２の一面側に設けられており、複数の引き回し線２４のうち、２つ以上（本例では６つ）と導電材２９を介して接続されている。このうちの一つは外部取り出し電極端子２６と直接接続されている引き回し配線２４となっている。
【００３２】
図８は、第１電極と第２電極の詳細な構成例を示す平面図である。この図では、上記した図７の図中に示すＥ領域における第１電極１３と第２電極１４の構成例が示されている。図示のように第１電極１３と第２電極１４は、それぞれの電極枝１３ａ、１４ａがｘ方向に沿って交互に配置されており、かつｙ方向に沿って延在している。各電極枝１３ａと各電極枝１４ａは、いずれも屈曲したエッジを有する。それぞれのエッジは、各電極枝の延在方向であるｙ方向に対して＋３°の角度をなす電極エッジと−３°の角度をなす電極エッジを交互に配置し、接続した構造を有する。各電極枝１３ａ、１４ａの電極幅は１５μｍであり、隣り合う電極枝１３ａと電極枝１４ａの配置間隔は１５μｍに設定されている。なお、電極幅と配置間隔は等しくなくてもよい。また、電極幅は５μｍ〜３０μｍ程度とすることが好ましい。また、各引き回し線２３、２４は、可能な限り、各電極枝１３ａ、１４ａの延在方向であるｙ方向に対して略平行または略直交する輪郭を有することが好ましい。
【００３３】
上記のように液晶層１７に負の誘電率異方性を有する液晶材料を用いる場合には、液晶層１７の層厚方向の略中央における液晶分子の配向方向４１は、例えば図示のように各電極枝１３ａ、１４ａの延在方向と直交する方向であるｘ方向へ設定することができる。なお、正の誘電率異方性を有する液晶材料を用いる場合には、例えば各電極枝１３ａ、１４ａの延在方向と平行な方向であるｙ方向へ設定することができる。これにより、屈曲するエッジの屈曲方向が異なる領域ごとに電圧印加時における液晶分子の面内回転方向を互いに逆にすることができるので、２ドメイン配向状態を実現し、視角特性の向上を図ることができる。
【００３４】
（第２実施形態）
第２実施形態の液晶表示装置は上記した第１実施形態の液晶表示装置と同様の構成を備えている（図１等参照）。したがって、以下では第２実施形態の液晶表示装置を説明する際に、第１実施形態の液晶表示装置と共通する構成要素については同一名称、同一符号を用いたうえで、それらの詳細な説明については適宜省略する。
【００３５】
図９は、第２実施形態の液晶表示装置の結線状態を説明するための図である。ここでは、二桁の数字を表示するセグメント表示型の液晶表示装置における結線状態を示している。各桁の数字はそれぞれ７つの表示部（セグメント表示部）を用いて表現されており、合計で１４の表示部が存在する。本実施形態ではこのようなセグメント表示型の各表示部を１／３デューティでマルチプレックス駆動する場合を考える。実線で示された８つの配線Ｓ１〜Ｓ６が各第１電極（セグメント電極）の結線状態を表し、点線で示された３つの配線Ｃ１、Ｃ２、Ｃ３が各第２電極（走査電極）の結線状態を示している。
【００３６】
図１０は、第２実施形態の液晶表示装置における第１電極（セグメント電極）および引き回し配線の構成例を示す平面図である。図１０に示すように、各第１電極１３は、二桁の数字を表示するための合計１４の表示部にそれぞれ対応して設けられている。これら文字の部分は第１実施形態の液晶表示装置と同様に櫛歯状電極で構成されている（上記図８参照）。代表していくつかの第１電極１３にのみ符号を付す。各第１電極１３には、引き回し配線２３が接続されている。代表していくつかの引き回し配線２３にのみ符号を付す。外部取り出し電極端子２５は、図示しない外部駆動回路に接続するためのものであり、それぞれ引き回し配線２３と接続されている。本実施形態では第１実施形態の液晶表示装置と比較して、外部取り出し電極端子２５の数が６つに減少している。
【００３７】
図１１、図１２および図１３は、それぞれ、第２実施形態の液晶表示装置における第２電極（コモン電極）および引き回し配線の一部の構成例を示す平面図である。また、図１４は、第２実施形態の液晶表示装置におけるジャンパ配線の構成例を示す平面図である。各第２電極１４は、二桁の数字を表示するための合計１４の表示部にそれぞれ対応して設けられている。図１１、図１２、図１３では、各第２電極１４のうちの一部、具体的には上記した上記した２つの配線Ｃ１、Ｃ２、Ｃ３のうちのいずれか１つに対応した部分が示されている。これら文字の部分は第１実施形態の液晶表示装置と同様に櫛歯状電極で構成されている（上記図８参照）。代表していくつかの第２電極１４にのみ符号を付す。各第２電極１４には、引き回し配線２４が接続されている。代表していくつかの引き回し配線２４にのみ符号を付す。
【００３８】
図１１に示す各引き回し線２４には、それぞれ直接的には外部取り出し電極端子２６と接続されておらず第１基板１１の一面上において島状に分離しており、それぞれが導通パッド部２７を有しているものも含まれている。また、引き回し配線２４には外部取り出し電極端子２６と接続するとともに導通パッド部２７を有しているものもある。これら４つの導通パッド部２７の間は、導電材を介して第２基板１２の一面側に設けられた２つのジャンパ配線２８のうち、図中上側のジャンパ配線２８（図１４参照）のパッド部２８ａと電気的および物理的に接続されている。これにより、各引き回し線２４が相互に接続される。導通パッド部２７は導電材２９としてのシール材と重なる位置に設けられる。導電材２９とシール材が別部材ならば、導電材２９はシール材３０よびも外側でシール材３０から離れた位置に配置されることが好ましい。同様に、図１３に示す各引き回し線２４は、それぞれ直接的には外部取り出し電極端子２６と接続されておらず第１基板１１の一面上において島状に分離している。また、引き回し配線２４には外部取り出し電極端子２６と接続しているものもある。図１１とは異なりそれぞれの引き回し配線２４は導通パッド部２７を有していないが、引き回し配線２４の一部が同様の働きをする。つまり、３つの引き回し配線２４はその一部が、導電材を介して第２基板１２の一面側に設けられた２つのジャンパ配線２８のうち、図中下側のジャンパ配線２８（図１４参照）と電気的および物理的に接続されている。これにより、各引き回し線２４が相互に接続される。ただし、図１３と図１４のジャンパ配線２８の組み合わせで導電材２９としてのシール材３０を利用する場合、図示しているもの以外の引き回し配線がジャンパ配線２８およびシール材３０と重なるように存在してしまうとその部分で導通してしまう。そのため、他の引き回し配線がシール材３０の下に存在しないように注意するか、シール材３０とは別の導電材２９を引き回し配線２４およびジャンパ配線２８の重なる部分にのみ設けるようにする必要がある。なお、図１３の例では図１１の例とは異なり一つの引き回し配線２４は直接に第２電極１４と接続せず、ジャンパ配線２８を通じて他の引き回し配線２４と接続する、外部取り出し電極端子２６との接続専用の引き回し配線２４となっている。他方、図１２に示す引き回し線２４は、導通パッド部を有しておらず、直接的に外部取り出し電極端子２６と接続されている。外部取り出し電極端子２６は、図示しない外部駆動回路に接続するためのものであり、引き回し配線２４と接続されている。
【００３９】
図１５は、第２実施形態の液晶表示装置における第１電極と第２電極を一緒に示した平面図である。なお、図１５では第１電極１３および引き回し線２３と第２電極１４および引き回し線２４を識別する都合上、第２電極１４および引き回し線２４を点線により示している。図示のように、第１電極１３と第２電極１４はともに第１基板１１の同一面上に設けられる。また、引き回し線２３、２４も第１基板１１の同一面上に設けられる。これに対して、ジャンパ配線２８は第２基板１２の一面側に設けられており、複数の引き回し線２４のうちの２つ以上と導電材を介して接続されている。
【００４０】
以上のような各実施形態の液晶表示装置によれば、第１基板１１側に設けた引き回し配線２３のうちのいくつかの相互間を第２基板１２側に設けたジャンパ配線２８を介して相互に接続する構成としたことにより、基板上での配線レイアウトの自由度を高めることができる。それにより、交差部分を設けずに各電極や引き回し配線を同一面上に配置することが容易となり、セグメント表示型に適したマルチプレックス駆動のＩＰＳ型液晶表示装置が得られる。
【００４１】
なお、本発明は上述した実施形態の内容に限定されるものではなく、本発明の要旨の範囲内において種々に変形して実施をすることが可能である。例えば、上記した実施形態では液晶層が電圧無印加時において一軸水平配向の場合について説明したが、液晶層の配向状態については特に限定されない。
【００４２】
また、上記した実施形態では各引き回し配線２４のうち一部がジャンパ配線２８を介して接続されていたが、全ての引き回し配線２４がジャンパ配線２８を介して接続されてもよい。
【００４３】
また、上記した実施形態では、表示部の輪郭がｘ方向とｙ方向のいずれとも平行ではない部分についてはその輪郭に合わせて第１電極および第２電極の端部を形成していたが、図１６に例示するように、表示部の輪郭に対応して階段状に第１電極および第２電極の端部を形成してもよい。このように表示部の輪郭が曲線状であり、ｘ方向、ｙ方向のいずれとも平行ではない部分を図１６に示すように輪郭に合わせて階段状に形成することにより、第１電極および第２電極の端部におけるわずかな光抜けの発生も抑制することが可能となる。
【符号の説明】
【００４４】
１１：第１基板、
１２：第２基板
１３：第１電極
１４：第２電極
１３ａ、１４ａ：電極枝
１５：第１配向膜
１６：第２配向膜
１７：液晶層
２１：第１偏光板
２２：第２偏光板
２３、２４：引き回し配線
２５、２６：外部取り出し電極端子
２７：導通パッド部
２８：ジャンパ配線
２８ａ：配線部
２８ｂ：パッド部
２９：導電材
３０：シール材
３１：表示部
３２：引き回し線部
３３：非表示部
４１：液晶層の層厚方向における略中央における液晶分子の配向方向
【図１】
2014029382.tif 000003
【図２】
2014029382.tif 000004
【図３】
2014029382.tif 000005
【図４】
2014029382.tif 000006
【図５】
2014029382.tif 000007
【図６】
2014029382.tif 000008
【図７】
2014029382.tif 000009
【図８】
2014029382.tif 000010
【図９】
2014029382.tif 000011
【図１０】
2014029382.tif 000012
【図１１】
2014029382.tif 000013
【図１２】
2014029382.tif 000014
【図１３】
2014029382.tif 000015
【図１４】
2014029382.tif 000016
【図１５】
2014029382.tif 000017
【図１６】
2014029382.tif 000018